(57)【特許請求の範囲】
【請求項１】
テレビジョン（以下、ＴＶという）放送を表示可能なＴＶ受像機と、撮像画像データを印刷可能な画像形成装置とを含み、
前記ＴＶ受像機は、
ＴＶ放送を受信するチューナと、
前記チューナにより受信されたＴＶ放送の映像を表示するための表示手段と、
ユーザにより操作される操作手段と、
撮像画像データを記録可能な記録媒体を装着するＴＶ受像機用装着部と、
前記ＴＶ受像機の各部を制御するＴＶ受像機用制御手段とを備え、
前記画像形成装置は、
用紙を所定方向に搬送する用紙搬送機構と、
前記用紙搬送機構により前記所定方向に搬送される用紙上に画像を形成する画像形成手段と、
前記記録媒体を装着するための画像形成装置用装着部と、
前記画像形成装置の各部を制御する画像形成装置用制御手段とを備えた画像形成システムにおいて、
前記ＴＶ受像機用制御手段は、
前記記録媒体が前記ＴＶ受像機用装着部に装着されているとき、
前記記録媒体に記録されている撮像画像データの一覧画面を前記表示手段に表示し、
ユーザによって前記撮像画像データの中から印刷する撮像画像データが選択されると共に、選択された撮像画像データの印刷枚数の設定がされると、選択された撮像画像データの情報や印刷枚数等の情報を含む印刷設定データを前記記録媒体にさらに記録し、
前記画像形成装置用制御手段は、
前記記録媒体が前記画像形成装置用装着部に装着されているとき、該記録媒体に記録された前記印刷設定データに基いて、撮像画像データの印刷を行うことを特徴とする画像形成システム。
【請求項２】
テレビジョン（以下、ＴＶという）放送を表示可能なＴＶ受像機と、撮像画像データを印刷可能な画像形成装置とを含み、
前記ＴＶ受像機は、
ＴＶ放送を受信するチューナと、
前記チューナにより受信されたＴＶ放送の映像を表示するための表示手段と、
ユーザにより操作される操作手段と、
撮像画像データを記録可能な記録媒体を装着するＴＶ受像機用装着部と、
前記ＴＶ受像機の各部を制御するＴＶ受像機用制御手段とを備え、
前記画像形成装置は、
用紙を所定方向に搬送する用紙搬送機構と、
前記用紙搬送機構により前記所定方向に搬送される用紙上に画像を形成する画像形成手段と、
前記記録媒体を装着するための画像形成装置用装着部と、
前記画像形成装置の各部を制御する画像形成装置用制御手段とを備えた画像形成システムにおいて、
前記ＴＶ受像機用制御手段は、
前記記録媒体が前記ＴＶ受像機用装着部に装着されているとき、
前記記録媒体に記録されている撮像画像データの一覧画面を前記表示手段に表示し、
ユーザによって前記撮像画像データの中から印刷する撮像画像データが選択されると共に、選択された撮像画像データの印刷枚数の設定がされると、前記記録媒体内の選択された撮像画像データ内に、印刷の有無や印刷枚数の情報を含む印刷設定データを記録し、
前記画像形成装置用制御手段は、
前記記録媒体が前記画像形成装置用装着部に装着されているとき、該記録媒体に記録された撮像画像データ内の前記印刷設定データに基いて、撮像画像データの印刷を行うことを特徴とする画像形成システム。
【請求項３】
テレビジョン（以下、ＴＶという）放送を表示可能なＴＶ受像機と、撮像画像データを印刷可能な画像形成装置とを含み、
前記ＴＶ受像機は、
ＴＶ放送を受信するチューナと、
前記チューナにより受信されたＴＶ放送の映像を表示するための表示手段と、
ユーザにより操作される操作手段と、
撮像画像データを記録可能な記録媒体を装着するＴＶ受像機用装着部と、
前記ＴＶ受像機の各部を制御するＴＶ受像機用制御手段とを備え、
前記画像形成装置は、
用紙を所定方向に搬送する用紙搬送機構と、
前記用紙搬送機構により前記所定方向に搬送される用紙上に画像を形成する画像形成手段と、
前記記録媒体を装着するための画像形成装置用装着部と、
前記画像形成装置の各部を制御する画像形成装置用制御手段とを備えた画像形成システムにおいて、
前記ＴＶ受像機用制御手段は、
前記記録媒体が前記ＴＶ受像機用装着部に装着されているとき、
前記記録媒体に記録されている撮像画像データの一覧画面を前記表示手段に表示し、
ユーザによって前記撮像画像データの中から印刷する撮像画像データが選択されると共に、選択された撮像画像データの印刷枚数の設定がされると、選択された撮像画像データのファイル名を、印刷の有無や印刷枚数の情報を示す名前に変更し、
前記画像形成装置用制御手段は、
前記記録媒体が前記画像形成装置用装着部に装着されているとき、該記録媒体に記録された撮像画像データのファイル名の内容に基いて、撮像画像データの印刷を行うことを特徴とする画像形成システム。
【発明の詳細な説明】
【技術分野】
【０００１】
本発明は、ＴＶ受像機と、画像形成装置とを含む画像形成システムに関する。
【背景技術】
【０００２】
従来から、ユーザは、撮像画像データが記録されたＳＤカード等の記録媒体をプリンタに装着し、撮像画像の印刷を行うことがある。一般的には、液晶画面付きフォトプリンタにＳＤカードを装着すると、ＳＤカードに記録された撮像画像が液晶画面に表示される。ユーザはこの画面を見ながら、印刷する画像の選択や、印刷枚数等の情報を入力し、印刷を実行する。しかし、この種の液晶画面は小型であるため見え難く、ユーザにとって使い勝手が悪いという問題がある。
【０００３】
プリンタと、このプリンタに接続され、撮像画像が記録されたＳＤカードを装着することができるテレビとを含む画像形成システムが知られている（例えば、特許文献１乃至特許文献２参照）。この種の画像形成システムでは、テレビのディスプレイ上にＳＤカード内に記録された撮像画像を表示することができ、ユーザがディスプレイに表示された撮像画像を見ながら印刷の設定を行い、接続されたプリンタを用いて印刷を行うことができる。しかし、この種の画像形成システムでは、テレビとプリンタが接続されていなければならないので、ユーザにとって使い勝手が悪いという問題がある。
【特許文献１】特開平１１−２７５５０３号公報
【特許文献２】特開２００７−３４４５８号公報
【発明の開示】
【発明が解決しようとする課題】
【０００４】
本発明は、上記問題を解決するためになされたものであり、撮像画像の印刷設定を容易に行うことができると共に、ＴＶ受像機と画像形成装置が接続されていなくても、所望の印刷を行うことができるＴＶ受像機と、画像形成装置とを含む画像形成システムを提供することを目的とする。
【課題を解決するための手段】
【０００５】
上記目的を達成するために請求項１の発明は、テレビジョン（以下、ＴＶという）放送を表示可能なＴＶ受像機と、撮像画像データを印刷可能な画像形成装置とを含み、前記ＴＶ受像機は、ＴＶ放送を受信するチューナと、前記チューナにより受信されたＴＶ放送の映像を表示するための表示手段と、ユーザにより操作される操作手段と、撮像画像データを記録可能な記録媒体を装着するＴＶ受像機用装着部と、前記ＴＶ受像機の各部を制御するＴＶ受像機用制御手段とを備え、前記画像形成装置は、用紙を所定方向に搬送する用紙搬送機構と、前記用紙搬送機構により前記所定方向に搬送される用紙上に画像を形成する画像形成手段と、前記記録媒体を装着するための画像形成装置用装着部と、前記画像形成装置の各部を制御する画像形成装置用制御手段とを備えた画像形成システムにおいて、前記ＴＶ受像機用制御手段は、前記記録媒体が前記ＴＶ受像機用装着部に装着されているとき、前記記録媒体に記録されている撮像画像データの一覧画面を前記表示手段に表示し、ユーザによって前記撮像画像データの中から印刷する撮像画像データが選択されると共に、選択された撮像画像データの印刷枚数の設定がされると、選択された撮像画像データの情報や印刷枚数等の情報を含む印刷設定データを前記記録媒体にさらに記録し、前記画像形成装置用制御手段は、前記記録媒体が前記画像形成装置用装着部に装着されているとき、該記録媒体に記録された前記印刷設定データに基いて、撮像画像データの印刷を行うものである。
【０００６】
請求項２の発明は、テレビジョン（以下、ＴＶという）放送を表示可能なＴＶ受像機と、撮像画像データを印刷可能な画像形成装置とを含み、前記ＴＶ受像機は、ＴＶ放送を受信するチューナと、前記チューナにより受信されたＴＶ放送の映像を表示するための表示手段と、ユーザにより操作される操作手段と、撮像画像データを記録可能な記録媒体を装着するＴＶ受像機用装着部と、前記ＴＶ受像機の各部を制御するＴＶ受像機用制御手段とを備え、前記画像形成装置は、用紙を所定方向に搬送する用紙搬送機構と、前記用紙搬送機構により前記所定方向に搬送される用紙上に画像を形成する画像形成手段と、前記記録媒体を装着するための画像形成装置用装着部と、前記画像形成装置の各部を制御する画像形成装置用制御手段とを備えた画像形成システムにおいて、前記ＴＶ受像機用制御手段は、前記記録媒体が前記ＴＶ受像機用装着部に装着されているとき、前記記録媒体に記録されている撮像画像データの一覧画面を前記表示手段に表示し、ユーザによって前記撮像画像データの中から印刷する撮像画像データが選択されると共に、選択された撮像画像データの印刷枚数の設定がされると、前記記録媒体内の選択された撮像画像データ内に、印刷の有無や印刷枚数の情報を含む印刷設定データを記録し、前記画像形成装置用制御手段は、前記記録媒体が前記画像形成装置用装着部に装着されているとき、該記録媒体に記録された撮像画像データ内の前記印刷設定データに基いて、撮像画像データの印刷を行うものである。
【０００７】
請求項３の発明は、テレビジョン（以下、ＴＶという）放送を表示可能なＴＶ受像機と、撮像画像データを印刷可能な画像形成装置とを含み、前記ＴＶ受像機は、ＴＶ放送を受信するチューナと、前記チューナにより受信されたＴＶ放送の映像を表示するための表示手段と、ユーザにより操作される操作手段と、撮像画像データを記録可能な記録媒体を装着するＴＶ受像機用装着部と、前記ＴＶ受像機の各部を制御するＴＶ受像機用制御手段とを備え、前記画像形成装置は、用紙を所定方向に搬送する用紙搬送機構と、前記用紙搬送機構により前記所定方向に搬送される用紙上に画像を形成する画像形成手段と、前記記録媒体を装着するための画像形成装置用装着部と、前記画像形成装置の各部を制御する画像形成装置用制御手段とを備えた画像形成システムにおいて、前記ＴＶ受像機用制御手段は、前記記録媒体が前記ＴＶ受像機用装着部に装着されているとき、前記記録媒体に記録されている撮像画像データの一覧画面を前記表示手段に表示し、ユーザによって前記撮像画像データの中から印刷する撮像画像データが選択されると共に、選択された撮像画像データの印刷枚数の設定がされると、選択された撮像画像データのファイル名を、印刷の有無や印刷枚数の情報を示す名前に変更し、前記画像形成装置用制御手段は、前記記録媒体が前記画像形成装置用装着部に装着されているとき、該記録媒体に記録された撮像画像データのファイル名の内容に基いて、撮像画像データの印刷を行うものである。
【発明の効果】
【０００８】
請求項１の発明によれば、ＴＶ受像機用制御手段は、記録媒体に記録されている撮像画像データの一覧画面を表示手段に表示し、ユーザによって撮像画像データの中から印刷する撮像画像データが選択されると共に、選択された撮像画像データの印刷枚数等の設定がされると、選択された撮像画像データの情報や印刷枚数の情報を含む印刷設定データを記録媒体にさらに記録する。そのため、ユーザは、印刷する撮像画像データの選択を、表示手段を見ながら行うことができるので、使い勝手が良い。
【０００９】
また、画像形成装置用制御手段は、記録媒体に記録された印刷設定データに基いて、撮像画像データの印刷を行う。そのため、従来のように、ＴＶ受像機と画像形成装置が接続されていなくても印刷設定データに基いて、ユーザが所望する印刷を行うことができるので、ユーザにとって使い勝手がよい。
【００１０】
請求項２の発明によれば、ＴＶ受像機用制御手段は、記録媒体に記録されている撮像画像データの一覧画面を表示手段に表示し、ユーザによって撮像画像データの中から印刷する撮像画像データが選択されると共に、選択された撮像画像データの印刷枚数等の設定がされると、選択された撮像画像データ内に、印刷の有無や印刷枚数の情報を含む印刷設定データを記録する。そのため、ユーザは、印刷する撮像画像データの選択を、表示手段を見ながら行うことができるので、ユーザにとって使い勝手が良い。
【００１１】
また、画像形成装置用制御手段は、記録媒体に記録された撮像画像データ内の印刷設定データに基いて、撮像画像データの印刷を行う。そのため、従来のように、ＴＶ受像機と画像形成装置が接続されていなくても、撮像画像データ内の印刷設定データに基いて、ユーザが所望する印刷を行うことができるので、ユーザにとって使い勝手がよい。
【００１２】
請求項３の発明によれば、ＴＶ受像機用制御手段は、記録媒体に記録されている撮像画像データの一覧画面を表示手段に表示し、ユーザによって撮像画像データの中から印刷する撮像画像データが選択されると共に、選択された撮像画像データの印刷枚数の設定がされると、選択された撮像画像データのファイル名を、印刷の有無や印刷枚数の情報を示す名前に変更する。そのため、ユーザは、印刷する撮像画像データの選択を、表示手段を見ながら行うことができるので、ユーザにとって使い勝手が良い。
【００１３】
また、画像形成装置用制御手段は、記録媒体に記録された撮像画像データのファイル名の内容に基いて、撮像画像データの印刷を行う。そのため、従来のように、ＴＶ受像機と画像形成装置が接続されていなくても、撮像画像データのファイル名の内容に基いて、ユーザが所望する印刷を行うことができるので、ユーザにとって使い勝手がよい。
【発明を実施するための最良の形態】
【００１４】
以下、本発明の第１の実施形態に係るテレビ（テレビジョン受像機）と、プリンタ（画像形成装置）とを含む画像形成システムについて、図１乃至図３を参照して説明する。図１は、テレビ２と、プリンタ３とを含む画像形成システム１の外観を示し、図２は、テレビ２の内部構成を示すブロック図であり、図３は、プリンタ３の内部構成を示すブロック図である。テレビ２とプリンタ３とは、ケーブル等によって互いに接続されていないため、同室に設置されていなくてもよい。テレビ２は、リモコン４の操作ボタン４１が操作されることによって動作する。
【００１５】
テレビ２は、図２に示すように、テレビジョン（以下、ＴＶという）番組を含むＴＶ放送を受信するチューナ２５と、チューナ２５により受信されたＴＶ放送の映像や、各種のメッセージ等を表示するディスプレイ（表示手段）２１と、チューナ２５によって受信されたＴＶ放送の音声を出力するスピーカ２４と、テレビ２の各部を制御する制御用マイコン（ＴＶ受像機用制御手段）２０とを備える。
【００１６】
また、テレビ２は、制御用マイコン２０を動作させるためのプログラムが記憶されたメモリ２６と、リモコン４から送信された赤外線信号を受光し、赤外線信号に含まれるコード信号を制御用マイコン２０へ出力するリモコン信号受信部２７と、撮像画像データを記録可能なＳＤカード（記録媒体）５（図１参照）を装着する装着部（ＴＶ受像機用装着部）２２と、装着部２２に装着されたＳＤカード５にデータの読み書きを行うアクセス部２３とをさらに備える。
【００１７】
制御用マイコン２０は、ＳＤカード５が装着部２２に装着されているとき、ＳＤカード５に記録されている撮像画像データの一覧画面をディスプレイ２１に表示する。また、制御用マイコン２０は、ユーザによりリモコン４が操作され、撮像画像データの中から印刷する撮像画像データが選択されると共に、選択された撮像画像データの印刷枚数等の設定がされると、選択された撮像画像データの情報や印刷枚数等の情報を含む印刷設定データをＳＤカード５にさらに記録する。詳細については後述する。
【００１８】
プリンタ３は、図３に示すように、ＳＤカード５（図１参照）を装着するための装着部（画像形成装置用装着部）３１と、装着部３１に装着されたＳＤカード５にデータの読み書きを行うアクセス部３２と、用紙Ｐを所定方向に搬送する用紙搬送機構３６とを備える。
【００１９】
また、プリンタ３は、用紙搬送機構３６により所定方向に搬送される用紙上に画像を形成する画像形成部（画像形成手段）３３と、プリンタ３の各部を制御する制御用マイコン（画像形成装置用制御手段）３０と、制御用マイコン３０を動作させるためのプログラムが記憶されたメモリ３５とを備える。
【００２０】
制御用マイコン３０は、装着部３１にＳＤカード５が装着されたとき、テレビ２の制御用マイコン２０によって記録された印刷設定データの内容に基いて、撮像画像データの印刷を行う。詳細については後述する。
【００２１】
次に、ＳＤカード５に記録された印刷設定データについて、図４を参照して説明する。図４は、ＳＤカード５に印刷設定データが記録された状態を示す説明図であり、ＳＤカード５に記録されたデータが表示されているディスプレイ２１を示す。
【００２２】
図４に示すように、ＳＤカード５には、Ａ１．ＪＰＧ〜Ａ５．ＪＰＧの撮像画像データと、ＰｈｏｔｏＤＴＶ−ＰｒｉｎｔＩｍａｇｅ＿ｔａｂｌｅ．ＴＸＴのテキストファイル形式の印刷設定データが記録されている。
【００２３】
予めユーザによって撮像画像データＡ１．ＪＰＧ〜Ａ５．ＪＰＧの中から、例えば、Ａ１．ＪＰＧとＡ３．ＪＰＧの撮像画像データが選択され、Ａ１．ＪＰＧを２枚、Ａ３．ＪＰＧを３枚印刷するように指示された場合、制御用マイコン２０は、この指示内容に基く印刷設定データＰｈｏｔｏＤＴＶ−ＰｒｉｎｔＩｍａｇｅ＿ｔａｂｌｅ．ＴＸＴをＳＤカード５に記録させる。なお、印刷設定データＰｈｏｔｏＤＴＶ−ＰｒｉｎｔＩｍａｇｅ＿ｔａｂｌｅ．ＴＸＴが、印刷画質や両面印刷等の印刷設定データを含むようにしてもよい。
【００２４】
そして、ユーザが、ＳＤカード５をプリンタ３の装着部３１に装着すると、制御用マイコン３０は、ＰｈｏｔｏＤＴＶ−ＰｒｉｎｔＩｍａｇｅ＿ｔａｂｌｅ．ＴＸＴの内容を読込み、読込んだ内容に基いて印刷を行う。ここでは、プリンタ３は、Ａ１．ＪＰＧを２枚と、Ａ３．ＪＰＧを３枚印刷する。
【００２５】
上述したように、本実施形態による画像形成システム１によれば、テレビ２の制御用マイコン２０は、ＳＤカード５に記録されている撮像画像データの一覧画面をディスプレイ２１に表示し、ユーザによって撮像画像データの中から印刷する撮像画像データが選択されると共に、選択された撮像画像データの印刷枚数等の設定がされると、選択された撮像画像データの情報や印刷枚数等の情報を含む印刷設定データをＳＤカード５にさらに記録する。そのため、ユーザは、印刷する撮像画像データの選択を、ディスプレイ２１を見ながら行うことができるので、使い勝手が良い。
【００２６】
また、プリンタ３の制御用マイコン３０は、ＳＤカード５に記録された印刷設定データに基いて、撮像画像データの印刷を行う。そのため、従来のように、テレビとプリンタが接続されていなくても印刷設定データに基いて、ユーザが所望する印刷を行うことができるので、ユーザにとって使い勝手がよい。
【００２７】
次に、本発明の第２の実施形態に係るテレビと、プリンタとを含む画像形成システムについて図面を参照して説明する。この実施形態は、請求項２に対応する。テレビ２、プリンタ３、及び画像形成システム１は、上述した図１乃至図３と同様の構成であり、構成の説明は省略する。
【００２８】
テレビ２の制御用マイコン２０は、ＳＤカード５が装着部２２に装着されているとき、ＳＤカード５に記録されている撮像画像データの一覧画面をディスプレイ２１に表示する。また、制御用マイコン２０は、ユーザによりリモコン４が操作され、撮像画像データの中から印刷する撮像画像データが選択されると共に、選択された撮像画像データの印刷枚数等の設定がされると、ＳＤカード５内の選択された撮像画像データ内に、印刷の有無や印刷枚数等の情報を含む印刷設定情報（印刷設定データ）を記録する。この詳細については後述する。
【００２９】
プリンタ３の制御用マイコン３０は、装着部３１にＳＤカード５が装着されたとき、テレビ２の制御用マイコン２０によって記録された撮像画像データ内の印刷設定情報の内容に基いて、撮像画像データの印刷を行う。この詳細については後述する。
【００３０】
次に、撮像画像データ内に記録された印刷設定情報について、図５を参照して説明する。図５は、ＳＤカード５に記録された撮像画像データ６の構成を示す説明図である。撮像画像データ６は、画像情報６１と、撮像された日付や撮像者等の情報を含む付加情報６２と、印刷設定情報６３とを含むものである。
【００３１】
印刷設定情報６３には、この撮像画像データを印刷するか否かの情報や、何枚印刷するか等の情報が記録されている。制御用マイコン３０は、ＳＤカード５に記録された各撮像画像データを読み込むと共に印刷設定情報６３の内容を読込み、読込んだ内容に基いて印刷を行う。
【００３２】
具体的には、ＳＤカード５に、Ａ１．ＪＰＧ〜Ａ５．ＪＰＧの撮像画像データが記録されているとき、テレビ２の装着部２２にＳＤカード５を装着して、ユーザによって、Ａ１．ＪＰＧとＡ３．ＪＰＧの撮像画像データが選択され、Ａ１．ＪＰＧを２枚、Ａ３．ＪＰＧを３枚印刷するように指示された場合、制御用マイコン２０は、撮像画像データＡ１．ＪＰＧ内と、撮像画像データＡ３．ＪＰＧ内にそれぞれ印刷設定情報を記録させる。
【００３３】
そして、ユーザがＳＤカード５をプリンタ３の装着部３１に装着すると、制御用マイコン３０は、ＳＤカード５から撮像画像データＡ１．ＪＰＧ〜Ａ５．ＪＰＧの内容と共に印刷設定情報を読込み、読込んだ内容に基いて印刷を行う。そして、プリンタ３は、Ａ１．ＪＰＧを２枚と、Ａ３．ＪＰＧを３枚印刷する。
【００３４】
上述したように、本実施形態による画像形成システム１によれば、テレビ２の制御用マイコン２０は、ＳＤカード５に記録されている撮像画像データの一覧画面をディスプレイ２１に表示し、ユーザによって撮像画像データの中から印刷する撮像画像データが選択されると共に、選択された撮像画像データの印刷枚数等の設定がされると、選択された撮像画像データ内に、印刷の有無や印刷枚数等の情報を含む印刷設定情報を記録する。そのため、ユーザは、印刷する撮像画像データの選択を、ディスプレイ２１を見ながら行うことができるので、ユーザにとって使い勝手が良い。
【００３５】
また、プリンタ３の制御用マイコン３０は、ＳＤカード５に記録された撮像画像データ内の印刷設定情報６３に基いて、撮像画像データ６の印刷を行う。そのため、従来のように、テレビとプリンタが接続されていなくても印刷設定情報６３に基いて、ユーザが所望する印刷を行うことができるので、ユーザにとって使い勝手がよい。
【００３６】
次に、本発明の第３の実施形態に係るテレビと、プリンタとを含む画像形成システムについて図面を参照して説明する。この実施形態は、請求項３に対応する。テレビ２、プリンタ３、及び画像形成システム１は、上述した図１乃至図３と同様の構成であり、構成の説明は省略する。
【００３７】
テレビ２の制御用マイコン２０は、ＳＤカード５が装着部２２に装着されているとき、ＳＤカード５に記録されている撮像画像データの一覧画面をディスプレイ２１に表示する。また、制御用マイコン２０は、ユーザによりリモコン４が操作され、撮像画像データの中から印刷する撮像画像データが選択されると、選択された撮像画像データのファイル名を、印刷の有無や印刷枚数等の情報を示す名前に変更する。この詳細については後述する。
【００３８】
プリンタ３の制御用マイコン３０は、装着部３１にＳＤカード５が装着されたとき、テレビ２の制御用マイコン２０によって変更されたＳＤカード５に記録された撮像画像データのファイル名の内容に基いて、撮像画像データの印刷を行う。この詳細については後述する。
【００３９】
次に、ＳＤカード５に記録された撮像画像データのファイル名について、図６を参照して説明する。図６は、ファイル名が変更された撮像画像データが記録されたＳＤカード５の状態を示す説明図であり、ＳＤカード５に記録されたデータが表示されているディスプレイ２１を示す。ここで、ＳＤカード５には、予め、撮像画像データＡ１．ＪＰＧ〜Ａ５．ＪＰＧが記録されていたものとする。
【００４０】
ＳＤカード５がテレビ２の装着部２２に装着され、ユーザによって、Ａ１．ＪＰＧとＡ３．ＪＰＧの撮像画像データが選択されると共に、Ａ１．ＪＰＧを２枚、Ａ３．ＪＰＧを３枚印刷するように指示されると、制御用マイコン２０が、Ａ１．ＪＰＧのファイル名をＡ１＿Ｐｒｉｎｔ＿２．ＪＰＧに、Ａ３．ＪＰＧのファイル名をＡ３＿Ｐｒｉｎｔ＿３．ＪＰＧにそれぞれ変更する。そのため、ＳＤカード５には、図６に示すような撮像画像データが記録されている。ここでは、撮像画像データのファイル名に「Ｐｒｉｎｔ」を含む場合、印刷を行うことを示し、「Ｐｒｉｎｔ」の直後に「＿」と共に付加される数字、例えば、「＿２」が印刷枚数を示す。「＿２」は２枚印刷することを示す。
【００４１】
そして、ユーザがこのＳＤカード５をプリンタ３の装着部３１に装着すると、制御用マイコン３０は、ＳＤカード５に記録された撮像画像データのファイル名の内容に基いて印刷を行う。ここでは、プリンタ３は、Ａ１．ＪＰＧを２枚と、Ａ３．ＪＰＧを３枚印刷する。
【００４２】
上述したように、本実施形態による画像形成システム１によれば、テレビ２の制御用マイコン２０は、ＳＤカード５に記録されている撮像画像データの一覧画面をディスプレイ２１に表示し、ユーザによって撮像画像データの中から印刷する撮像画像データが選択されると共に、選択された撮像画像データの印刷枚数等の設定がされると、選択された撮像画像データのファイル名を、印刷の有無や印刷枚数等の情報を示す名前に変更する。そのため、ユーザは、印刷する撮像画像データの選択を、ディスプレイ２１を見ながら行うことができるので、ユーザにとって使い勝手が良い。
【００４３】
また、プリンタ３の制御用マイコン３０は、ＳＤカード５に記録された撮像画像データのファイル名の内容に基いて、撮像画像データの印刷を行う。そのため、従来のように、テレビとプリンタが接続されていなくても印刷設定データに基いて、ユーザが所望する印刷を行うことができるので、ユーザにとって使い勝手がよい。
【００４４】
なお、本発明は上記各実施形態の構成に限定されるものではなく、発明の趣旨を変更しない範囲で適宜に種々の変形が可能である。例えば、上記各実施形態では、ＳＤカード５をテレビ２に装着して印刷設定を行ったが、ＳＤカードをパソコンに装着して印刷設定を行うものであってもよい。
【図面の簡単な説明】
【００４５】
【図１】本発明の第１の実施形態に係るテレビ、及びプリンタを含む画像形成システムの外観図。
【図２】上記テレビの内部構成を示すブロック図。
【図３】上記プリンタの内部構成を示すブロック図。
【図４】上記テレビのディスプレイに表示された撮像画像データの一覧画面を示す説明図。
【図５】本発明の第２の実施形態に係るテレビ、及びプリンタを含む画像形成システムにおいて、撮像画像データ内に記録される情報を示す説明図。
【図６】本発明の第３の実施形態に係るテレビ、及びプリンタを含む画像形成システムにおいて、テレビのディスプレイに表示された撮像画像データの一覧画面を示す説明図。
【符号の説明】
【００４６】
１  画等形成システム
２  テレビ（テレビジョン受像機）
３  プリンタ（画像形成装置）
４  リモコン（操作手段）
５  ＳＤカード（記録媒体）
６  撮像画像データ
２０  制御用マイコン（ＴＶ受像機用制御手段）
２１  ディスプレイ（表示手段）
２２  装着部（ＴＶ受像機用装着部）
２６  チューナ
３０  制御用マイコン（画像形成装置用制御手段）
３１  装着部（画像形成装置用装着部）
３３  画像形成部（画像形成手段）
３６  用紙搬送機構（用紙搬送機構）
６３  印刷設定情報（印刷設定データ）
Ｐ  用紙
【図１】
0004379510.tif 000002
【図２】
0004379510.tif 000003
【図３】
0004379510.tif 000004
【図４】
0004379510.tif 000005
【図５】
0004379510.tif 000006
【図６】
0004379510.tif 000007